(57)【特許請求の範囲】
【請求項１】
人間の上体を受け止める上体受け台と、前記上体受け台の上面に形成されるマット固定プレートと、前記上体受け台の下面の片側に形成されるリンクと、前記上体受け台の下面に形成されてシーソー運動を展開する回転軸と、前記リンクと従動軸プーリーとの間に形成されるクランクカムロッドと、動力伝達装置により前記従動軸プーリーと連結されるメイン軸プーリーと、前記メイン軸プーリーと動力伝達装置により連結され、モーターと連結される駆動軸プーリーと、を有する上体運動部と、
尻を受け止める尻受け台と、前記尻受け台の下端に連結される高さ調整シリンダーと、前記尻受け台の上面に連結されるガイドと、前記ガイドの水平移動を可能にする上部移送受け台に形成されたレールと、水平移動のための動力伝達用モーターと、前記高さ調整シリンダーの下端にカムロッドブラケットを介して連結される往復回転クランクロッドと、一方の端は前記往復回転クランクロッドと連結され、他方の端は前記メイン軸プーリーと回転軸を介して連結されるカムと、一方の端は前記メイン軸プーリーと前記回転軸を介して連結され、他方の端はメインフレームの下端に固定されるプーリーブラケットと、を有する腰及び尻運動部と、
を備える全身運動器。
【請求項２】
前記全身運動器は脚運動部をさらに備え、前記脚運動部は、脚を受け止め、マッサージ機能を実現する下部マッサージローラーと、脚の上部に当接して前記下部マッサージローラーと共に脚をマッサージし、上部マッサージローラー支持台に取り付けられる上部マッサージローラーと、前記下部マッサージローラーを支持する脚受けポストと、前記脚受けポストの下端に連結される往復リンクロッドと、前記往復リンクロッドの左右側に連結される回転用カムと、一方の端は前記回転用カムと回転軸を介して連結され、他方の端は前記メインフレームの下端に固定される固定ブラケットと、一方の端は前記固定ブラケットの一方の端側に前記回転軸を介して連結され、他方の端は前記往復回転クランクロッドと連結されるカムと、を備える請求項１に記載の全身運動器。
【請求項３】
前記全身運動器は足首運動部をさらに備え、前記足首運動部は、足首を支える足首受けマットと、前記足首受けマットを載置する足首回転板支持台と、前記足首回転板支持台と回転軸により連結される回転軸固定板と、前記足首受けマットが前記足首回転板支持台により人間が横たわった状態の反対側に完全に回転されて転倒しないようにする回転停止棒と、を備える請求項１に記載の全身運動器。
【請求項４】
前記マット固定プレートの一方の端には腕力器が取り付けられた腕力器固定ブラケットが連結され、他方の端には腰の補助器である補助腰台が往復リンク軸により連結され、前記補助腰台は前記尻受け台と連結される請求項１に記載の全身運動器。
【発明の詳細な説明】
【技術分野】
【０００１】
本発明は全身運動器に係り、さらに詳しくは、上体、腰及び下体の鍛錬のために人体各部位の回転及び上下運動を連動させた全身運動器に関する。
【背景技術】
【０００２】
現代社会の高度化が進むことに伴い、人々は運動不足や栄養の過多摂取により現代病に露出されたままで生きている。
【０００３】
特に、硬直した姿勢や過度な作業または経年が原因となって、人体は、腰、背、腹、膝などに異常が生じる退行性脊髄疾患、脊髄が湾曲する側湾症、高関節腰痛症の筋膜痛症、ストレス型成長発育、過度な腹脂肪などにそのまま露出されており、これらの問題を解消するために現代人は多大な時間の運動をしており、各種の様々な運動器具の補助を受けたり専門トレーナーの補助を受けたりする。
かかる傾向に合わせて、様々な身体各部位運動器具及び全身運動器具が開発されて上市されている。
【０００４】
例えば、頸椎及び肩甲運動器、腹筋運動器、電動式脚関節運動器、下体運動器、有酸素運動器、脊髄校正用運動器、ボクシングゲーム運動器、骨盤筋肉の収縮運動器、体形校正型伸展運動器、背指圧運動器、握力運動器、肩ツイスト運動器、多目的運動器、全身運動器など数えられないほど数多くの運動器が開発されて使用されている。
【０００５】
このように数多くの運動器が開発されているにも拘わらず、より便利で且つより効率的であり、しかも、より効果的な運動器が引き続き開発されて使用される筈であることは否めない事実である。
【発明の概要】
【発明が解決しようとする課題】
【０００６】
本発明は上述した問題点を解消するために案出されたものであり、その目的は、人体の上体運動及び腰と膝関節を柔らかくし、且つ、筋力を強化させる全身運動器を提供するところにある。
【０００７】
また、本発明の他の目的は、中年及び老年層の退行性脊髄疾患、一般生活習慣に伴う側湾症などの脊髄疾患、股関節腰部分の筋膜痛症、青少年層のストレス型成長発育低下の問題を解消するように筋力強化、腹脂肪除去、五臓六腑の柔軟性機能の強化及び精神的な弛緩効果を高めることのできる全身運動器を提供するところにある。
【０００８】
さらに、本発明のさらに他の目的は、運動器具の動きに応じて、人間が楽に横たわった状態で上体、腰、膝及び足首の運動を連動して行うことのできる全身運動器を提供するところにある。
【課題を解決するための手段】
【０００９】
上述した課題を解決するための本発明に係る全身運動器は、人間の上体を受け止める上体受け台と、前記上体受け台の上面に形成されるマット固定プレートと、前記上体受け台の下面の片側に形成されるリンクと、前記上体受け台の下面に形成されてシーソー運動を展開する回転軸と、前記リンクと従動軸プーリーとの間に形成されるクランクカムロッドと、動力伝達装置により前記従動軸プーリーと連結されるメイン軸プーリーと、前記メイン軸プーリーと動力伝達装置により連結され、モーターと連結される駆動軸プーリーと、を有する上体運動部と、尻を受け止める尻受け台と、前記尻受け台の下端に連結される高さ調整シリンダーと、前記尻受け台の上面に連結されるガイドと、前記ガイドの水平移動を可能にする上部移送受け台に形成されたレールと、水平移動のための動力伝達用モーターと、前記高さ調整シリンダーの下端にカムロッドブラケットを介して連結される往復回転クランクロッドと、一方の端は前記往復回転クランクロッドと連結され、他方の端は前記メイン軸プーリーと回転軸を介して連結されるカムと、一方の端は前記メイン軸プーリーと前記回転軸を介して連結され、他方の端はメインフレームの下端に固定されるプーリーブラケットと、を有する腰及び尻運動部と、を備える。
【００１０】
ここで、前記全身運動器は脚運動部をさらに備え、前記脚運動部は、脚を受け止め、マッサージ機能を実現する下部マッサージローラーと、脚の上部に当接して前記下部マッサージローラーと共に脚をマッサージし、上部マッサージローラー支持台に取り付けられる上部マッサージローラーと、前記下部マッサージローラーを支持する脚受けポストと、前記脚受けポストの下端に連結される往復リンクロッドと、前記往復リンクロッドの左右側に連結される回転用カムと、一方の端は前記回転用カムと回転軸を介して連結され、他方の端は前記メインフレームの下端に固定される固定ブラケットと、一方の端は前記固定ブラケットの一方の端側に前記回転軸を介して連結され、他方の端は前記往復回転クランクロッドと連結されるカムと、を備えていてもよい。
【００１１】
ここで、前記全身運動器は足首運動部をさらに備え、前記足首運動部は、足首を支える足首受けマットと、前記足首受けマットを載置する足首回転板支持台と、前記足首回転板支持台と回転軸により連結される回転軸固定板と、前記足首受けマットが前記足首回転板支持台により人間が横たわった状態の反対側に完全に回転されて転倒しないようにする回転停止棒と、を備えていてもよい。
【００１２】
ここで、前記マット固定プレートの一方の端には腕力器付き腕力器固定ブラケットが連結され、他方の端には腰の補助器である補助腰帯が往復リンク軸により連結され、前記補助腰帯は前記尻受け台と連結されるように実現されてもよい。
発明の効果
【００１３】
上述した本発明の解決手段によれば、人体の上体運動及び腰と膝関節を柔らかくし、且つ、筋力を強化させ、中年及び老年層の退行性脊髄疾患、一般生活習慣に伴う側湾症などの脊髄疾患、股関節腰部分の筋膜痛症、青少年層のストレス型成長発育低下の問題を解消するように筋力強化、腹脂肪除去、五臓六腑の柔軟性機能の強化及び精神的な弛緩効果を高めることのできる全身運動器を提供することが可能になる。
【図面の簡単な説明】
【００１４】
【図１】図１は、本発明に係る全身運動器の平面図である。
【図２】図２は、本発明に係る全身運動器の正面図である。
【図３】図３は、本発明に係る全身運動器の左側面図である。
【図４】図４は、本発明に係る全身運動器の右側面図である。
【図５】図５は、本発明に係る全身運動器の上体運動部の駆動メカニズムを説明するための図である。
【図６】図６は、本発明に係る全身運動器の尻運動部の駆動メカニズムを説明するための図である。
【図７】図７は、本発明に係る全身運動器の脚運動部の駆動メカニズムを説明するための図である。
【００１５】
＜符号の説明＞
１０：上体運動部
２０：腰及び尻運動部
３０：脚運動部
４０：足首運動部
５０：メインフレーム
１０１：上体受け台
１０２：回転軸
１０３：リンク
１０４：安全バネ
１０５：上体受けマット
１０６：固定ブラケット
１０７：腕力器
１０８：マット固定プレート
１０９：補助フレーム
１１０：駆動軸プーリー
１１１：メイン軸プーリー
１１２：従動軸プーリー
１１３：動力伝達装置
１１４：減速器
２０１：補助腰台
２０２：往復リンク軸
２０３：高さ調整シリンダー
２０５：尻受け台
２０６：ガイド
２０７：レール
２０８：上部移送受け台
２０９：尻受けマット
２１０：モーター及び減速器
２１３：往復回転クランクロッド
３０１：脚受けポスト
３０２：高さ調節レバー
３０３：下部マッサージローラー
３０４：上部マッサージローラー
３０５：取っ手
３０７：安全バネ
３０８：往復リンクロッド
３０９：回転用カム
３１０：カム
３１１：固定ブラケット
３１２：往復回転クランクロッド
３１６：非常安全用バネ
３１９：バネ載置台
４０１：足首受けマット
４０２：回転軸
４０３：回転停止棒
４０４：足首回転板支持台
４０５：回転軸固定板
【発明を実施するための形態】
【００１６】
本発明は、人間の上体を受け止める上体受け台と、前記上体受け台の上面に形成されるマット固定プレートと、前記上体受け台の下面の片側に形成されるリンクと、前記上体受け台の下面に形成されてシーソー運動を展開する回転軸と、前記リンクと従動軸プーリーとの間に形成されるクランクカムロッドと、動力伝達装置により前記従動軸プーリーと連結されるメイン軸プーリーと、前記メイン軸プーリーと動力伝達装置により連結され、モーターと連結される駆動軸プーリーと、を有する上体運動部と、尻を受け止める尻受け台と、前記尻受け台の下端に連結される高さ調整シリンダーと、前記尻受け台の上面に連結されるガイドと、前記ガイドの水平移動を可能にする上部移送受け台に形成されたレールと、水平移動のための動力伝達用モーターと、前記高さ調整シリンダーの下端にカムロッドブラケットを介して連結される往復回転クランクロッドと、一方の端は前記往復回転クランクロッドと連結され、他方の端は前記メイン軸プーリーと回転軸を介して連結されるカムと、一方の端は前記メイン軸プーリーと前記回転軸を介して連結され、他方の端はメインフレームの下端に固定されるプーリーブラケットと、を有する腰及び尻運動部と、を備える全身運動器に関するものである。
以下、添付図面に基づいて、本発明に係る全身運動器の構造、駆動メカニズム及び作用効果について説明する。
【００１７】
図１は、本発明に係る全身運動器の平面図であり、図２は、本発明に係る全身運動器の正面図であり、図３は、本発明に係る全身運動器の左側面図であり、図４は、本発明に係る全身運動器の右側面図である。
【００１８】
図１から図４に示すように、本発明に係る全身運動器は、大きく、上体運動部１０と、腰及び尻運動部２０と、脚運動部３０及び足首運動部４０を備え、それぞれはメインフレーム５０に連結される。
上体運動部１０は、頭から腰までの上体を運動するための器具であり、本発明では起き上がり腹筋運動を適用する。
【００１９】
腰及び尻運動部２０の腰は補助腰台２０１により上体と尻部分の運動を補助し、尻は尻受け台２０５により受け止められて尻の左右運動と回転上下円運動が適用される。
脚運動部３０は、往復回転上下円運動及び上部及び下部マッサージローラー３０３、３０４によるマッサージ機能を適用する。
足首運動部４０は、上体、腰、尻及び脚の運動に際して足首が自然に載置されるように力の方向に応じて自由に回転されるように構成される。
【００２０】
図２から図４を参照すると、上体運動部１０は、上体の起き上がり腹筋運動運動を前提とした構造であり、上体受け台１０１と、上体受けマット１０５と、腕力器１０７と、マット固定プレート１０８と、補助フレーム１０９と、駆動軸プーリー１１０と、メイン軸プーリー１１１及び従動軸プーリー１１２を備える。
【００２１】
上体受け台１０１は、人間の上体を横たわった状態で受け止める部分であり、下部はリンク１０３により連結され、上部はマット固定プレート１０８が置かれ、マット固定プレート１０８の上には上体受けマット１０５が形成される。
【００２２】
上体受け台１０１の一方の側部に連結されたリンク１０３により、上体受け台１０１は、まるでシーソーのように回転軸１０２を基準として両端が昇降する繰り返し運動を行う。
シーソー運動に際して自然な動作を実現するために上体受け台１０１の下端には安全バネ１０４がメインフレーム５０との間に形成される。
【００２３】
リンク１０３は従動軸プーリー１１２に連結され、従動軸プーリー１１２は動力伝達装置１１３によりメイン軸プーリー１１１に連結され、メイン軸プーリー１１１は動力伝達装置１１３により駆動軸プーリー１１０に連結され、駆動軸プーリー１１０はモーター及び減速器１１４に連結されることにより駆動力が伝達される。
【００２４】
マット固定プレート１０８の上側には上体受けマット１０５が締め付けられ、一方の端には腕力器１０７が腕力器固定ブラケット１０６により形成され、他方の端は上体運動時に腰の動きを自然に動作させるための補助腰台２０１と連結される。
【００２５】
腰及び尻運動部２０は、補助腰台２０１と、高さ調整シリンダー２０３と、尻受け台２０５と、上部移送受け台２０８と、尻受けマット２０９と、モーター及び減速器２１０（図６参照）と、を備える。
【００２６】
補助腰台２０１は、上体運動と尻運動に際してこれらと連動して腰に無理がかからずに自然に連動動作が可能なようにし、往復リンク軸２０２により一方の端は上体運動部１０のマット固定プレート１０８に連結され、他方の端は尻受け台２０５と連結される。
【００２７】
尻受け台２０５の上端には尻受けマット２０９の左右水平運動を誘導するための左右水平運動ガイド装置が設けられるが、これは、尻受け台２０５の上面に形成されたガイド２０６と、上部移送受け台２０８の下面に形成されたレール２０７と、を備える。
【００２８】
高さ調整シリンダー２０３において、上側は尻受け台２０５と連結され、下側は往復回転クランクロッド２１３と連結されて、尻受け台２０５を往復回転クランクロッド２１３の往復回転運動により往復回転運動をする。
脚運動部３０は、脚を引っ掛けて膝関節の運動と脚のマッサージを同時に行う器具部である。
【００２９】
脚運動部３０は、脚受けポスト３０１と、下部マッサージローラー３０３と、上部マッサージローラー３０４と、往復リンクロッド３０８と、回転用カム３０９と、カム３１０及び固定ブラケット３１１を備える。
【００３０】
脚受けポスト３０１は、人間の脚が引っ掛かる部分を支持し、下端には緩衝器機能を有する安全バネ３０７が嵌め込まれたままで下端の往復リンクロッド３０８と連結され、上端側にはふくらはぎのマッサージが行える下部マッサージローラー３０３が取り付けられる。脚受けポスト３０１の一方の側にはその高さを調節可能なように高さ調節レバー３０２がさらに形成されてもよい。
下部マッサージローラー３０３の上端には所定の間隔を隔てたままで上部マッサージローラー３０４が上部マッサージローラー支持台３０６に支持される。
上部マッサージローラー支持台３０６の一方の端には人間が取っ手として使用可能な取っ手３０５部分がさらに形成されてもよい。
【００３１】
往復リンクロッド３０８と、回転用カム３０９と、カム３１０及び固定ブラケット３１１は左右一対で構成され、それぞれは互いに連結されて往復回転クランクロッド３１２と連結される。往復回転クランクロッド３１２により連動して、脚受けポスト３０１も尻受け台２０５と連動して往復回転運動をする。
【００３２】
往復リンクロッド３０８とメインフレーム５０の下面に形成されたバネ載置台３１９との間には、往復リンクロッド３０８の往復回転運動を補助するための非常安全用バネ３１６が設けられる。
【００３３】
足首運動部４０は、足首部位を支える部分であり、足首を支える足首受けマット４０１と、足首受けマット４０１を載置する足首回転板支持台４０４と、足首回転板支持台４０４と回転軸４０２により連結される回転軸固定板４０５と、を備える。
回転軸固定板４０５は、回転軸４０２を回動自在に支持し、下部はメインフレーム５０と連結される。
【００３４】
足首回転板支持台４０４は、回転軸４０２を基準として自由に回転可能であり、これは、上体、尻及び脚の運動に際して足首部分に力が加えられるままで回転板を回転させて足首の不自然な動きをなくして自然に連動運動が可能なようにする。
【００３５】
ここで、足首受けマット４０１が足首回転板支持台４０４により人間が横たわった状態の反対側に完全に回転されて転倒しないように回転停止棒４０３をさらに設けてもよい。
図５は、本発明に係る全身運動器の上体運動部の駆動メカニズムを説明するための図である。
【００３６】
図５を参照すると、上体受け台１０１と連結されたリンク１０３は従動軸プーリー１１２と連結され、従動軸プーリー１１２は動力伝達装置１１３によりメイン軸プーリー１１１と連結され、メイン軸プーリー１１１は動力伝達装置１１３により駆動軸プーリー１１０と連結され、駆動軸プーリー１１０はモーター及び減速器１１４に連結される。
【００３７】
このため、モーター及び減速器１１４の駆動力は、動力伝達装置１１３と、駆動軸プーリー１１０と、メイン軸プーリー１１１及び従動軸プーリー１１２を経てリンク１０３まで伝達される。
【００３８】
駆動力が伝達されるリンク１０３は、クランクカムロッド１１５を介して従動軸プーリー１１２と連結され、動力が伝達される従動軸プーリー１１２の回転によりクランクカムロッド１１５が往復回転運動をし、これと連動してリンク１０３が上下往復回転運動を展開する。
【００３９】
リンク１０３の上下往復回転運動は、上体受け台１０１の一方の側を上昇させたり下降させたりし、回転軸１０２を基準として他方の側は下降させたり上昇させたりして、シーソー運動、すなわち、上体の起き上がり腹筋運動を展開する。
図６は、本発明に係る全身運動器の尻運動部の駆動メカニズムを説明するための図である。
図６を参照すると、先ず、補助腰台２０１は、往復リンク軸２０２を介して上体受け台１０２及び尻受け台２０５と連動して自然に上下運動を展開する。
【００４０】
尻受け台２０５の上側に形成されたガイド２０６とレール２０７及び上部移送受け台２０８により尻受けマット２０９は、左右に水平に往復運動を展開するようにモーター及び減速器２１０に連結される。
【００４１】
高さ調整シリンダー２０３は、下端でカムロッドブラケット２１４を介して往復回転クランクロッド３１２と連結され、往復回転クランクロッド３１２はカム２１２と連結され、カム２１２の一方の端は往復回転クランクロッド３１２と連結され、他方の端はメイン軸プーリー１１１に回転軸２１３を介して連結され、メイン軸プーリー１１１はプーリーブラケット２１１に連結され、プーリーブラケット２１１はメインフレーム５０の下端に固定される。
【００４２】
駆動力がモーター及び減速器１１４と、駆動軸プーリー１１０及びメイン軸プーリー１１１を介して伝達されれば、ここに連結されたカム３１０が往復回転運動をし、カム３１０と一方の側で連結された往復回転クランクロッド３１２も往復回転運動をし、往復回転クランクロッド３１２とクランクロッドブラケット２１４を介して連結された高さ調整シリンダー２０３も往復回転運動を展開する。
図７は、本発明に係る全身運動器の脚運動部の駆動メカニズムを説明するための図である。
【００４３】
図７を参照すると、脚受けポスト３０１は往復リンクロッド３０８と連結され、往復リンクロッド３０８は左右側に回転用カム３０９と連結され、回転用カム３０９は回転軸３１９を介して固定ブラケット３１１の一方の側が連結され、固定ブラケット３１１の他方の側は回転軸３１９を介してカム３１０と連結され、カム３１０の他方の端には往復回転クランクロッド３１２が連結される。固定ブラケット３１１の一方の端は、一方の側に回転用カム３０９が連結され、反対側にはカム３１０が連結され、他方の端はメインフレーム５０の下端部に固定される。
【００４４】
モーター及び減速器１１４から動力伝達装置１１３及び駆動軸プーリー１１０及びメイン軸プーリー１１１から伝達された動力を受取った往復回転クランクロッド３１２は、カム３１０により往復回転運動を展開し、カム３１０と回転軸３１９を介して連結された回転用カム３０９は往復回転運動を展開する。
【００４５】
このとき、回転用カム３０９の往復回転運動は、脚受けポスト３０１の往復回転運動を誘導し、脚受けポスト３０１の方向を切り換えることなく定位置で往復回転運動を展開するように回転用カム３０９と脚受けポスト３０１との間には往復リンクロッド３０８が媒介される。往復リンクロッド３０８により脚受けポスト３０１は立てられた状態で方向が切り換えられることなく回転用カム３０９と連動して往復回転運動を展開する。
【００４６】
上述した本発明の技術的構成は、本発明が属する技術分野の当業者が本発明の技術的思想や必須的特徴を変更することなく異なる具体的な形態として実施可能であるということが理解できる筈である。よって、上述した実施形態はあらゆる面で例示的なものであり、限定的なものではないと理解されるべきであり、本発明の範囲は前記詳細な説明よりは後述する特許請求の範囲により開示され、特許請求の範囲の意味及び範囲並びにその等価から導き出されるあらゆる変更または変形が本発明の範囲に含まれるものと解釈されるべきである。
産業上の利用可能性
【００４７】
本願発明は、人体の上体運動及び腰と膝関節を柔らかくし、且つ、筋力を強化させ、中年及び老年層の退行性脊髄疾患、一般生活習慣に伴う側湾症などの脊髄疾患、股関節腰部分の筋膜痛症、青少年層のストレス型成長発育低下の問題を解消するように筋力強化、腹脂肪除去、五臓六腑の柔軟性機能の強化及び精神的な弛緩効果を高めることのできる全身運動器を提供することにより、産業上の利用可能性が非常に高い技術である。
【図１】
0006043803.tif 000002
【図２】
0006043803.tif 000003
【図３】
0006043803.tif 000004
【図４】
0006043803.tif 000005
【図５】
0006043803.tif 000006
【図６】
0006043803.tif 000007
【図７】
0006043803.tif 000008